(57)【要約】【課題】簡略な構成で取り扱いが容易な鉄筋コンクリート造の戸境壁と戸境壁の両側部に位置する二対の柱を一体的に構築するコンクリート型枠を提供する。【解決手段】戸境壁型枠３は、二体の戸境壁型枠本体７がシンメトリーに離間配置されて第２の連結部材７ａにより連結されており、両者の第２の板材８ｂとの間には向かい合う２箇所の開口部３ａが存在する。開口部３ａと柱４の第１面４ａとなる柱型枠２の第１の開口部とを向かい合わせるようにして、戸境壁型枠３に二体の前記柱型枠２各々を配置し、これらを戸境壁型枠３の第２の板材８ｂに固定される取付板６ａと、一方の端部を取付板６ａに締結され、他方の端部を寸法調整部材１２を介して柱型枠２の柱側面板材２ａに固着されるヒンジ部６ｂよりなる第四の連結部材６により連結する。【選択図】　図１
2004092175.tif 000002
【特許請求の範囲】
【請求項１】
鉄筋コンクリート造の戸境壁及び該戸境壁の両側端部各々に配される二体の柱を、一体的にコンクリート打設するためのコンクリート型枠であって、
前記柱を構成する柱鉄筋を囲うように配されて、戸境壁と抵触する柱面に第１の開口部を有する二体の柱型枠と、
前記戸境壁と抵触する柱面、及び戸境壁を構成する壁鉄筋に沿って配される戸境壁型枠とにより構成されており、
前記戸境壁型枠が、第１の板材及び第２の板材よりなり、コの字型を形成するようにシンメトリーに配置される二体のＬ型部材、及び二体の該Ｌ型部材の隣り合う第１の板材の端部どうしを連結する第１の連結部材により構成される戸境壁型枠本体を、第２の板材が外方に突出するようにシンメトリーに二体離間配置することにより形成されて、
二体の前記戸境壁型枠本体の間に生じる向かい合う開口部各々と、前記柱型枠の第１の開口部とが突き合わされることを特徴とするコンクリート型枠。
【請求項２】
請求項１に記載のコンクリート型枠において、
前記戸境壁型枠本体を構成する第１の連結部材が、ヒンジ機能を有し、ヒンジの回転軸と戸境壁との離間距離を、戸境壁からの柱の張出量より大きくとるとともに、
前記戸境壁型枠の第２の板材の上端部近傍で、前記柱型枠の第１の開口部と突き合わされる一方の面には、二体の戸境壁型枠本体を連結する第２の連結部材が取り付けられることを特徴とするコンクリート型枠。
【請求項３】
請求項１または２に記載のコンクリート型枠において、
前記柱型枠が、前記第１の開口部と向かい合う位置に第２の開口部を有しており、該第２の開口部には、着脱可能なコンクリート止めが配されることを特徴とするコンクリート型枠。
【請求項４】
請求項１から３のいずれかに記載のコンクリート型枠において、
前記戸境壁型枠の第２の板材の他方の面と柱型枠の外側面とを連結するように、ヒンジ機能を有する複数の第４の連結部材が配されており、
該第４の連結部材が、一方の端部を前記戸境壁型枠のＬ型部材を構成する第２の板材に対して水平方向の移動を自在に取り付けられるとともに、
第４の連結部材の他方の端部と前記柱型枠とは、両者の間に寸法調整部材が介在されて、該寸法調整部材を介して連結されることを特徴とするコンクリート型枠。
【発明の詳細な説明】
【０００１】
【発明の属する技術分野】
本発明は、鉄筋コンクリート造の戸境壁と戸境壁の両側部に位置する二対の柱を一体的に構築できるコンクリート型枠に関する。
【０００２】
【従来の技術】
従来より、図６に示すように、戸境壁５と戸境壁５の両端部に位置する二体の柱４とを一体的に構築するには、戸境壁５に平板状の大型型枠１４、柱４には従来より用いられている柱型枠１５を用いるとともに、これらを連結し柱４と戸境壁５との取り合い部を形成する取合い型枠１６が別途設けられて、その内方にコンクリートが打設される。
【０００３】
【発明が解決しようとする課題】
しかしながら、前記柱４と戸境壁５との取り合い部に用いられる取合い型枠１６の形状や配置方法が複雑になるため、型枠作業が繁雑となりやすい。
【０００４】
また、前記戸境壁５に用いる大型型枠１４は、隣り合う柱４間の入隅から入隅まで一体化した型枠を用いると解体が困難となるため複数に分割することも考えられるが、分割すると型枠の数量が増加するため運搬操業に時間を要するとともに、分割した型枠どうしの寸法合わせを行う必要が生じる等、作業効率が低下するといった課題が生じる。
【０００５】
上記事情に鑑み、本発明は、簡略な構成で取り扱いが容易な鉄筋コンクリート造の戸境壁と戸境壁の両側部に位置する二対の柱を一体的に構築できるコンクリート型枠を提供することを目的としている。
【０００６】
【課題を解決するための手段】
請求項１に記載のコンクリート型枠は、鉄筋コンクリート造の戸境壁及び該戸境壁の両側端部各々に配される二体の柱を、一体的にコンクリート打設するためのコンクリート型枠であって、前記柱を構成する柱鉄筋を囲うように配されて、戸境壁と抵触する柱面に第１の開口部を有する二体の柱型枠と、前記戸境壁と抵触する柱面、及び戸境壁を構成する壁鉄筋に沿って配される戸境壁型枠とにより構成されており、前記戸境壁型枠が、第１の板材及び第２の板材よりなり、コの字型を形成するようにシンメトリーに配置される二体のＬ型部材、及び二体の該Ｌ型部材の隣り合う第１の板材の端部どうしを連結する第１の連結部材により構成される戸境壁型枠本体を、第２の板材が外方に突出するようにシンメトリーに二体離間配置することにより形成されて、二体の前記戸境壁型枠本体の間に生じる向かい合う開口部各々と、前記柱型枠の第１の開口部とが突き合わされることを特徴としている。
【０００７】
請求項２に記載のコンクリート型枠は、前記戸境壁型枠本体を構成する第１の連結部材が、ヒンジ機能を有し、ヒンジの回転軸と戸境壁面との離間距離を、戸境壁面からの柱の張出量より大きくとるとともに、前記戸境壁型枠の第２の板材の上端部で、前記柱型枠の第１の開口部と突き合わされる一方の面には、二体の戸境壁型枠本体を連結する第２の連結部材が取り付けられることを特徴としている。
【０００８】
請求項３に記載のコンクリート型枠は、前記柱型枠が、前記第１の開口部と向かい合う位置に第２の開口部を有しており、該第２の開口部には、着脱可能なコンクリート止めが配されることを特徴としている。
【０００９】
請求項４に記載のコンクリート型枠は、前記戸境壁型枠の第２の板材の他方の面と柱型枠の外側面とを連結するように、ヒンジ機能を有する複数の第４の連結部材が配されており、該第４の連結部材が、一方の端部を前記戸境壁型枠のＬ型部材を構成する第２の板材に対して水平方向の移動を自在に取り付けられるとともに、第４の連結部材の他方の端部と前記柱型枠とは、両者の間に寸法調整部材が介在されて、該寸法調整部材を介して連結されることを特徴としている。
【００１０】
【発明の実施の形態】
本発明のコンクリート型枠は、構造物の鉛直部材と水平部材を分離して構築していくいわゆるＶＨ工法に用いられる型枠で、柱型枠と戸境壁型枠が連結部材を介して連結されることにより、型枠の運搬だけでなく、型枠の設置及び脱型を容易に行うことができるものである。本実施の形態では、平面状の戸境壁と該戸境壁の両端部に配置される同一形状の角柱とを構築する際のコンクリート型枠を例にとり、詳述する。
【００１１】
図１に示すように、コンクリート型枠１は、柱４を構築する柱型枠２と、戸境壁５を構築する戸境壁型枠３により構成されている。前記柱型枠２は、前記柱４の戸境壁５との取り合い部となる第１面４ａの両側面各々に配置される対をなす柱側面板材２ａと、これらを連結するように前記柱４の第１面４ａと向かい合う第２面４ｂに配置されるコンクリート止め２ｂにより構成されている。該柱側面板材２ａ及びコンクリート止め２ｂは、何れも従来より柱用のコンクリート型枠として用いられている材料よりなるもので、合板や鋼材プラスティック等何れを用いても良い。また、その大きさは、床スラブから梁下に達する高さと、前記柱に応じた長さを有している。
【００１２】
このような柱型枠２は、コンクリート止め２ｂが、対をなして離間配置されている柱側面板材２ａの何れか一方と、柱側面板材２ａの側端部の高さ方向の上端部及び下端部近傍に設けられた第３の連結部材１３を介して連結されている。ここで、柱側面板材２ａとコンクリート止め２ｂを連結する第３の連結部材１３は、断面がＬ字型の取付板１３ａと、これらを連結するヒンジ部１３ｂとにより構成されている。
【００１３】
該第３の連結部材１３を構成する前記取付板１３ａは、図示しない孔を有する突出面が、水平面を形成するように柱側面板材２ａに固定されている。また、該取付板１３ａの突出面に設けられた図示しない孔と、ヒンジ部１３ｂにおける水平面に形成された一方の端部に設けられた穴１３ｃとの両者には、ボルト１３ｄが挿通されて、柱側面板材２ａに固定された取付板１３ａとヒンジ部１３ｂは締結されている。一方、図３に示すように、ヒンジ部１３ｂの他方の端部１３ｅは、側部に鉛直面１３ｆが一体成形されており該鉛直面１３ｆがコンクリート止め２ｂの外周面に面どうしで接する状態で、固着手段を介して固着されている。このような構成により、第３の連結部材１３を介して柱側面板材２ａとコンクリート止め２ｂは連結されることとなる。
【００１４】
したがって、柱型枠２は、コンクリート止め２ｂが対をなす柱側面板材２ａを連結している状態では、断面が柱４の第１面４ａに第１の開口部を有するコの字型を形成しており、その内方に柱鉄筋４ｃが配された状態でコンクリートが打設されることにより、柱４が構築される。また、脱型時には図２（ａ）に示すように、コンクリート止め２ｂが第３の連結部材１３を軸に回転されて、第２面４ｂに第２の開口部が形成され、柱型枠２は柱４より離脱される。
【００１５】
一方、図１に示すように、戸境壁５を構築する戸境壁型枠３は、シンメトリーに離間配置される二体の戸境壁型枠本体７が、第２の連結部材７ａを介して連結されることにより形成されている。前記戸境壁型枠本体７は、二体のＬ型部材８と、これらを連結する第１の連結部材９とにより構成されている。前記Ｌ型部材８は、第１の板材８ａと第２の板材８ｂを直交するように組み合わせて平面視Ｌ字型に形成されており、床スラブから梁下に達する高さを有している。
【００１６】
図３に示すように、前記第１の板材８ａは、ユニット化された壁型枠１０を複数連接して平面状に形成したものであり、本実施の形態では２枚の該壁型枠１０を一体化している。また、第２の板材８ｂにも、第１の板材８ａと同様に、壁型枠１０が用いられており、本実施の形態では１枚の壁型枠１０が用いられている。したがって、前記戸境壁５の長さに応じて、連接する壁型枠１０の数量を調整することにより、第１の板材８ａの長さを調整するとともに、前記柱４の大きさに応じて連接する壁型枠１０の数量を調整することにより、第２の板材８ｂの長さも調整されるものである。なお、前記壁型枠１０は、従来より戸境壁用のコンクリート型枠として一般に用いられている板材よりなるもので、合板や鋼材プラスティック等何れを用いても良い。
【００１７】
このようなＬ型部材８は、二体が第１の板材８ａの端部どうしを隣り合うようにしてシンメトリーに離間配置されており、第１の板材８ａにおける第２の板材８ｂが突出する側の面に設けられた第１の連結部材９を介して一体化され、平面視コの字型の戸境壁型枠本体７に形成される。ここで用いる前記第１の連結部材９は、隣合う第１の板材８ａの両者を連結するように、上端部近傍及び下端部近傍に配置されるもので、隣合う第１の板材８ａの両者に各々取り付けられる対をなすＬ字型の取付板９ａと、これらを連結するヒンジ部９ｂとにより構成されている。
【００１８】
該第１の連結部材９の前記取付板９ａは第１の板材８ａ各々に固定されており、水平面を形成するとともに、図示しない孔を有する突出面が設けられている。該取付板９ａの突出面の図示しない孔とヒンジ部９ｂの水平面に形成された両端部各々に設けられた穴９ｃとの両者に、ボルト９ｄが挿通されて、隣り合う第１の板材８ａ各々に固定された前記取付板９ａとヒンジ部９ｂは締結されることとなる。これにより、シンメトリーに離間配置されたＬ型部材８は、前記第１の連結部材９により連結されて、戸境壁型枠本体７を構成することとなる。なお、前記ヒンジ部９ｂの両端部各々に設けられた穴９ｃは、長穴に形成されており、戸境壁型枠本体７を構成しシンメトリーに配置される二体のＬ型部材８の離間距離ｔに応じてヒンジ部９ｂの取り付け位置を自在に調整できる構成としている。
【００１９】
上述する戸境壁型枠本体７は、第２の板材８ｂを外方に向け、第１の板材８ａどうしを向かい合わせるように所定の距離を持って二体離間配置されて、さらに両者を連結するように、戸境壁型枠本体７の両端部近傍の上端部近傍で、第２の板材８ｂの柱と突き合わされる一方の面に、第２の連結部材７ａが対をなして設けられることにより、二体の戸境壁型枠本体７は一体化されて戸境壁型枠３を構成することとなる。
【００２０】
なお、本実施の形態において、戸境壁型枠３は、戸境壁型枠本体７の中央部近傍に外方への引張力が与えることにより平面視菱形に変形し、向かい合うＬ型部材８の第１の板材８ａどうしが前記戸境壁５より脱型できることを目的に、第２の連結部材７ａにはヒンジ部材が用いられているが、これにこだわるものではなく、Ｌ型部材８の第１の板材８ａに外方への引張力が生じた際に、向かい合う第１の板材８ａの離間間隔が拡大される構成であれば何れを用いても良い。
【００２１】
したがって、戸境壁型枠３は、図３に示すように、コンクリート打設時には、二体の戸境壁型枠本体７が、第１の板材８ａを平行に向かい合わせて、平面視長方形の空間を有する構成となり、この空間に壁鉄筋５ａが配設されている状態でコンクリート１１が打設されて戸境壁５が構築される。また、脱型時には、図２（ｃ）に示すように、戸境壁型枠本体７に外方への引張力を作用させると、戸境壁５より脱型されるが、分解されることなく前記第２の連結部材７ａ及び第１の連結部材９のヒンジ機能により、平面視菱形の空間を形成することとなる。
【００２２】
このとき、戸境壁型枠本体７に外方への引張力を作用させる際には、隣り合う前記Ｌ型部材８の第１の板材８ａどうしが端部を面で接していると、互いに緩衝しあい、戸境壁５より戸境壁型枠本体７を離脱させることが困難となる。このため、隣り合う第１の板材８ａどうしは所定の離間距離ｔを設けて配置されている。
【００２３】
しかし、隣り合うＬ型部材８を離間させた状態では戸境壁５を構築する際のコンクリート打設時にコンクリート１１が漏れるため、図４（ａ）に示すように隣り合う第１の板材８ａの端部各々に端部どうしを当接し合う蓋材１７が設けられている。該蓋材１７は、アルミや鋼板等剛性の高い板材であれば何れを用いても良く、コンクリート打設時には、蓋材１７どうしが端部を接合されて、戸境壁５に打設されるコンクリート１１の流出を止めるが、戸境壁型枠３の脱型時には、蓋材１７が開放されて両者の緩衝をなくすものである。なお、該蓋材１７の構成は、このような観音開き状にこだわるものではなく、脱型時に緩衝することがなければ図４（ｂ）に示すように一方のみが開放される構成等、何れを用いても良い。
【００２４】
ところで、このような戸境壁型枠３は、図１に示すように、二体の戸境壁型枠本体７が離間配置される構成なため、両者の第２の板材８ｂとの間に向かい合う２箇所の開口部３ａが存在する。該開口部３ａは、前記戸境壁５と柱４との取り合い部であるため、該開口部３ａと柱４の第１面４ａとなる柱型枠２の第１の開口部とを向かい合わせるようにして、戸境壁型枠３に二体の前記柱型枠２各々を配置し、これらを第四の連結部材６を介して連結することにより、対をなす柱４、及び戸境壁５の両者に対して同時にコンクリート１１を打設することの可能な空間を有するコンクリート型枠１が形成される。
【００２５】
ここで、戸境壁型枠３と柱型枠２とを連結する第四の連結部材６は、Ｌ字型の取付板６ａと、これらを連結するヒンジ部６ｂとにより構成されている。図３に示すように、該第四の連結部材６の取付板６ａは、図示しない孔を有する突出面が水平面を形成するように戸境壁型枠３の第２の板材８ｂの他方の面に固定されている。該取付板６ａの突出面の図示しない孔と、ヒンジ部６ｂの水平面に形成された一方の端部に設けられた穴６ｃとの両者にボルト６ｄが挿通されることにより、戸境壁型枠３と第四の連結部材６は締結されている。
【００２６】
一方、第四の連結部材６のヒンジ部６ｂの他方の端部６ｅは、側部に鉛直面６ｆを有しており、該鉛直面６ｆが前記柱型枠２の柱側面板材２ａの外周面に面どうしで接して固着手段を介して固着されることにより、第４の連結部材６を介して戸境壁型枠３と柱型枠２は連結されることとなる。なお、該第４の連結部材６は、一体の柱型枠２に対し、対をなす柱側面板材２ａの上下各々に設けられるため、少なくとも四箇所に固定されている。
【００２７】
しかし、図１に示すように、戸境壁型枠３の第２の板材８ｂと柱型枠２の柱側面板材２ａとは、必ずしも平面視Ｌ字型を形成するように接合するとは限らない。このため、山留鋼材等の剛性を有する部材よりなり、少なくとも対をなす鉛直面を有する寸法調整部材１２を用い、寸法調整部材１２の一方の面１２ａを柱側面板材２ａと面どうしで固着させる。これにより、寸法調整部材１２の他方の面１２ｂと第２の板材８ｂの外周面に直交面を形成させて、前記ヒンジ部６ｂの他方の端部６ｅの側部に設けられた鉛直面６ｆと他方の面１２ｂを面どうしで接する構成として、固着手段を介して固着することにより、前記寸法調整部材１２を介して戸境壁型枠３と柱型枠２とは連結されることとなる。
【００２８】
なお、寸法調整部材１２は、戸境壁型枠３の第２の板材８ｂに対する柱型枠２の柱側面板材２ａの接合位置に応じて、用いる数量を適宜調整し、寸法調整部材１２の他方の面１２ｂと第２の板材８ｂの外周面に直交面を形成させるものである。また、寸法調整部材１２により調整することのできない微細な接合距離にも対応できることを目的に、前記ヒンジ部６ｂの一方の端部に設けられた穴６ｃを長穴に形成しておき、ヒンジ部６ｂの戸境壁型枠３の第２の板材８ｂに対する取り付け位置を水平方向に自在に調整する構成としている。
【００２９】
このように、前記戸境壁５に対する柱４の張出量に応じて、戸境壁型枠３の第２の板材８ｂに対する柱型枠２の柱側面板材２ａの接合位置が変化した場合にも、寸法調整部材１２の介在、及び前記第４の連結部材６における第２の板材８ｂへの締結位置の調整により、どのような大きさの柱４に対しても、第４の連結部材６を用いて戸境壁型枠３と柱型枠２との連結が可能であるため、コンクリート型枠１を汎用的に用いることが可能となるものである。
【００３０】
このようなコンクリート型枠１の脱型方法を以下に示す。
最初に図２（ａ）に示すように、前記第３の連結部材１３を軸として柱型枠２のコンクリート止め２ｂを開放すると、連動して第４の連結部材６も回転し、図２（ｂ）に示すように、柱型枠２は分解されることなく、戸境壁型枠３に連結された状態で、柱４より容易に柱型枠２が脱型される。さらに、前記戸境壁型枠３の戸境壁型枠本体７に外方への引張力を与えると、第２の連結部材７ａ及び第１の連結部材９が回転され、これに加えて蓋材１７を開放すれば、図２（ｃ）に示すように、戸境壁型枠３は分解されることなく連結された状態で平面視菱形に変形して、戸境壁５より容易に戸境壁型枠３が脱型される。後に、前記第２の連結部材７ａを開放する、もしくはコンクリート型枠１を上方に引き抜くことにより、容易にコンクリート型枠１を撤去することが可能となるものである。
なお、第２の連結部材７ａのヒンジの回転軸は、戸境壁５との離間距離を、戸境壁５からの柱４の張出量より大きくとっている。
【００３１】
本実施の形態では、平面状の戸境壁５と該戸境壁５の両端部に配置される同一形状の角型の柱４とを構築する際のコンクリート型枠１を例にとり、詳述したが、これにこだわるものではなく、例えば前記戸境壁型枠本体７のＬ型部材８を構成する第１の板材８ａの断面形状を変形させることにより、柱４を両端部に備えた所望の形状を有する戸境壁５を構築することが可能である。
【００３２】
また、前記柱型枠２と戸境壁型枠３との連結がヒンジ機能を有する第４の連結部材６より構成されるため、例えば多角形の柱等を構築したい際にも、第４の連結部材６を構成する前記ヒンジ部６ｂの他方の端部６ｅの側部に設けられた鉛直面６ｆと、前記柱型枠２を構成する柱側面板材２ａの外周面とが面どうしで接する構成とすれば、コンクリート型枠１を用いて、所望の形状の柱４を備えた戸境壁５を構築することが可能である。
【００３３】
さらに、図５に示すように、既存の柱４に戸境壁５を設けたい際にも、前記戸境壁型枠３を個別で用いることが可能となる。なお、対をなす柱４間の距離に応じた調整は、Ｌ型部材８の第１の板材８ａを構成する壁型枠１０の数量を調整する、もしくは隣り合うＬ型部材８の離間距離ｔを調整し、これにあわせて蓋材１７の長さ及び第１の連結部材９の取り付け位置を調整する等により、適宜対応することが可能である。
【００３４】
上述する構成によれば、前記コンクリート型枠１は、二体のＬ型部材８が第１の板材８ａの端部どうしを隣り合うようにしてシンメトリーに離間配置されて、コの字型の戸境壁型枠本体７を構成し、該戸境壁型枠本体７を第２の板材８ｂが外方に突出するようにして第１の板材８ａが向かい合うようにシンメトリーに配置することにより形成された戸境壁型枠３と、該戸境壁型枠３の第２の板材８ｂに柱側面板材２ａの端部を当接するように配置される柱型枠２とを、ヒンジ機能を第４の連結部材６とにより連結する構成であるため、柱４と戸境壁５の型枠が一体となったシステム型枠が形成され、現場への搬出入作業を容易に行えるとともに、型枠の組み立て作業を簡略化することが可能となり、工期短縮・工費削減に大きく寄与することが可能となる。
【００３５】
また、戸境壁型枠３を構成する二体の戸境壁型枠本体７が両端部どうし各々をヒンジ連結体７ａにより連結されるとともに、戸境壁型枠本体７を構成する二体のＬ型部材８が第１の板材８ａの端部どうしをヒンジ機能を有する第一の連結部材９により連結されているため、二体の前記戸境壁型枠本体７を内方に押しつけることにより平面視方形が形成されて、容易に前記戸境壁５への戸境壁型枠３の設置が可能になるとともに、前記戸境壁型枠本体７各々に外方への引張力を与えることにより平面菱形が形成されて、前記戸境壁型枠３は、戸境壁５より容易に脱型することが可能であり、戸境壁型枠３の配置や脱型等の型枠作業を容易に行うことができ、作業効率を大幅に向上することが可能となる。
【００３６】
さらに、柱型枠２は、対をなす柱側面板材２ａと、これらの何れか一方に第３の連結部材１３を介して連結されるコンクリート止め２ｂにより構成されるため、第３の連結部材１３を軸としてコンクリート止め２ｂを回転させることにより連動して第４の連結部材６も回転し、柱型枠２を柱４より容易に脱型することが可能であり、コンクリート型枠１の配置や脱型等の型枠作業を容易に行うことができ、作業効率を大幅に向上することが可能となる。
【００３７】
前記柱型枠２と戸境壁型枠３とを連結する第４の連結部材６が、戸境壁型枠本体７を構成するＬ型部材８の第２の板材８ｂに対して水平方向の移動を自在に締結されているとともに、第４の連結部材６と柱型枠２との連結には、寸法調整部材１２が介在されることから、前記戸境壁５に対する柱４の張出量に応じて、戸境壁型枠３の第２の板材８ｂに対する柱型枠２の柱側面板材２ａの接合位置が変化した場合にも、寸法調整部材１２の介在、及び前記連結部材６における戸境壁型枠本体７の第２の板材８ｂへの締結位置の調整により、第四の連結部材６を用いて戸境壁型枠３と柱型枠２との連結が可能であるため、どのような大きさの柱４に対しても、コンクリート型枠１を汎用的に用いることが可能となる。
【００３８】
【発明の効果】
請求項１に記載のコンクリート型枠によれば、鉄筋コンクリート造の戸境壁及び該戸境壁の両側端部各々に配される二体の柱を、一体的にコンクリート打設するためのコンクリート型枠であって、前記柱を構成する柱鉄筋を囲うように配されて、戸境壁と抵触する柱面に第１の開口部を有する二体の柱型枠と、前記戸境壁と抵触する柱面、及び戸境壁を構成する壁鉄筋に沿って配される戸境壁型枠とにより構成されており、前記戸境壁型枠が、第１の板材及び第２の板材よりなり、コの字型を形成するようにシンメトリーに配置される二体のＬ型部材、及び二体の該Ｌ型部材の隣り合う第１の板材の端部どうしを連結する第１の連結部材により構成される戸境壁型枠本体を、第２の板材が外方に突出するようにシンメトリーに二体離間配置することにより形成されて、二体の前記戸境壁型枠本体の間に生じる向かい合う開口部各々と、前記柱型枠の第１の開口部とが突き合わされることから、柱と戸境壁の型枠が一体となったシステム型枠が形成され、現場への搬出入作業を容易に行えるとともに、型枠の組み立て作業を簡略化することが可能となり、工期短縮・工費削減に大きく寄与することが可能となる。
【００３９】
請求項２に記載のコンクリート型枠によれば、前記戸境壁型枠本体を構成する第１の連結部材が、ヒンジ機能を有し、ヒンジの回転軸と戸境壁との離間距離を、戸境壁からの柱の張出量より大きくとるとともに、前記戸境壁型枠の第２の板材の上端部近傍で、前記柱型枠の第１の開口部と突き合わされる一方の面には、二体の戸境壁型枠本体を連結する第２の連結部材が取り付けられることから、二体の前記戸境壁型枠本体を内方に押しつけることにより、容易に前記戸境壁型枠の設置が可能になるとともに、前記戸境壁型枠本体各々に外方への引張力を与えることにより平面視菱形に成形されて、前記戸境壁型枠は、戸境壁より容易に脱型することが可能であり、型枠の配置や脱型等の型枠作業を容易に行うことができ、作業効率を大幅に向上することが可能となる。
【００４０】
請求項３に記載のコンクリート型枠によれば、前記柱型枠が、前記第１の開口部と向かい合う位置に第２の開口部を有しており、該第２の開口部には、着脱可能なコンクリート止めが配されることから、第３の連結部材を軸として柱の第２面に位置するコンクリート止めを回転させることにより柱型枠に第２の開口部が形成され、これに連動して第４の連結部材も回転し、柱型枠を柱より容易に脱型することが可能であり、コンクリート型枠の配置や脱型等の型枠作業を容易に行うことができ、作業効率を大幅に向上することが可能となる。
【００４１】
請求項４に記載のコンクリート型枠によれば、前記戸境壁型枠の第２の板材の他方の面と柱型枠の外側面とを連結するように、ヒンジ機能を有する複数の第４の連結部材が配されており、該第４の連結部材が、一方の端部を前記戸境壁型枠のＬ型部材を構成する第２の板材に対して水平方向の移動を自在に取り付けられるとともに、第４の連結部材の他方の端部と前記柱型枠とは、両者の間に寸法調整部材が介在されて、該寸法調整部材を介して連結されることから、前記戸境壁に対する柱の張出量に応じて、戸境壁型枠の第２の板材に対する柱型枠の柱側面板材の接合位置が変化した場合にも、寸法調整部材の介在、及び前記連結部材における戸境壁型枠本体の第２の板材への締結位置の調整により、第４の連結部材を用いて戸境壁型枠と柱型枠との連結が可能であるため、どのような大きさの柱に対しても、コンクリート型枠を汎用的に用いることが可能となる。
【図面の簡単な説明】
【図１】本発明のコンクリート型枠の平面を示す図である。
【図２】本発明のコンクリート型枠の脱型方法を示す図である。
【図３】本発明のコンクリート型枠の斜視を示す図である。
【図４】本発明の戸境壁型枠本体の蓋材を示す図である。
【図５】本発明の戸境壁型枠を示す図である。
【図６】従来の既存構造物の耐震補強構造を示すものである。
１　コンクリート型枠
２　柱型枠
２ａ　柱側面板材
２ｂ　コンクリート止め
３　戸境壁型枠
３ａ　開口部
４　柱
４ａ　第１面
４ｂ　第２面
４ｃ　柱鉄筋
５　戸境壁
６　第４の連結部材
６ａ　取付部材
６ｂ　ヒンジ部
６ｃ　孔
６ｄ　ボルト
６ｅ　他方の端部
６ｆ　鉛直板
７　戸境壁型枠本体
７ａ　第２の連結部材
８　Ｌ型部材
８ａ　第１の板材
８ｂ　第２の板材
９　第１の連結部材
９ａ　取付板
９ｂ　ヒンジ部
９ｃ　孔
９ｄ　ボルト
１０　壁型枠
１１　コンクリート
１２　寸法調整部材
１２ａ　一方の面
１２ｂ　他方の面
１３　第３の連結部材
１３ａ　取付板
１３ｂ　ヒンジ部
１３ｃ　孔
１３ｄ　ボルト
１３ｅ　他方の端部
１３ｆ　鉛直板
１４　大型型枠
１５　柱型枠
１６　取合い型枠
１７　蓋材
【図１】
2004092175.tif 000003
【図２】
2004092175.tif 000004
【図３】
2004092175.tif 000005
【図４】
2004092175.tif 000006
【図５】
2004092175.tif 000007
【図６】
2004092175.tif 000008